(57)【要約】【課題】浴室の天井裏等に設置し、浴室内の暖房及び換気を行う浴室暖房機本体と、この本体に取り付けられ浴室を含む複数室の換気をする換気装置とを備えた浴室暖房機において、換気装置内の水分をできるだけ早く取り除くこと。【解決手段】天井裏Ｂに設けられる浴室暖房機本体２と、底板６ｆを本体底板３６より高い位置にして本体側面に設置される換気装置３とを備えた浴室暖房機１において、前記浴室暖房機本体２の側板に通気口２８を設け、換気装置３の側板に前記通気口２８に連通する連通口３５を設け、この連通口３５には窓枠４１を設け、この窓枠４１の下板４１ｄを外下がりに傾斜させるとともに、この下板４１ｄ上に排水路４３を設けた。【選択図】　　　図３
2004116965.tif 000002
【特許請求の範囲】
【請求項１】
天井裏に設けられる浴室暖房機本体と、底板を本体底板より高い位置にして本体側面に設置される換気装置とを備えた浴室暖房機において、
前記浴室暖房機本体の側板に通気口を設け、換気装置の側板に前記通気口に連通する連通口を設け、この連通口には窓枠を設け、この窓枠の下板を外下がりに傾斜させるとともに、この下板上に排水路を設けたことを特徴とする浴室暖房機。
【請求項２】
前記排水路の先端部は窓枠から外に突出して前記通気口の内側に配置されることを特徴とする請求項１に記載の浴室暖房機。
【発明の詳細な説明】
【０００１】
【発明の属する技術分野】
本発明は、浴室の天井裏等に設置して浴室内の暖房を行う浴室暖房機本体と、この浴室暖房機本体に取り付けて浴室を含む脱衣室及びトイレ等の複数室の換気をすることができる換気装置とを備えた浴室暖房機に関する。
【０００２】
【従来の技術】
従来、浴室の天井板に開口部を設け、この開口部の天井裏に設置して浴室内の暖房及び換気をする浴室暖房機本体と、この本体の側板に取り付けて浴室、脱衣室及びトイレの換気を行う換気装置とが開示されている。（例えば、特許文献１参照。）。
【０００３】
この種の浴室暖房機本体（以下本体という）は、箱体状の本体ケースを有し、この本体ケース内に外部の熱源機等から温水の供給される熱交換器と、浴室内から空気を吸い込み熱交換器を介して熱交換された空気を浴室内に吹き出す温風ファンと、浴室内の空気を換気する本体換気ファンとを備え、本体ケースの側板に浴室換気用の通気口が設けられている。また、本体ケースの底面には開口部を有して底面に吸込口及び吹出口を有する吸込グリルが取り付けられている。
【０００４】
前記換気装置は箱体状のケース（以下換気ケースという）内に通風路を形成しこの通風路内に総換気ファンを設け、換気ケースの一側板には本体の通気口へ連通する連通口を設け、別の側板には脱衣室及びトイレへそれぞれ連通する吸気口を設け、さらに別の側板には連通口及び２つの吸気口から吸い込まれた空気を排出する排気口を設けている。これら２つの吸気口にはダクト接続具を取り付けて各室へ連通する吸気ダクトを接続し、排気口にはダクト接続具を取り付けて室外へ連通する排気ダクトを接続している。
【０００５】
前記本体換気用ファンと総換気ファンとを作動することにより浴室の換気を行うことができ、総換気ファンのみを作動することにより脱衣室及びトイレの換気を行うことができる。
【０００６】
【特許文献１】
特開平９ー２４３１２７号公報
【０００７】
【発明が解決しようとする課題】
ところで、前述した本体内には浴室の湿気が立ち昇って浸入し、また換気装置内には脱衣室やトイレ用の吸気ダクトを通して湿気が浸入する。そして本体内や換気装置内に浸入した湿気は、それぞれの内部で結露しこの結露した水分が自然に乾燥するまでそれぞれの底板に溜まっていた。
【０００８】
前記本体には温水が供給される熱交換器を有しており、本体内部に溜まった水分は、比較的乾き易いのに対し、換気装置内の水分は、乾き難く長い間底板に溜まっていることが多かった。このため溜まった水に細菌や埃が付着し衛生上あまり好ましくなかった。
【０００９】
本発明は上述のような従来の事情に鑑みなされものであり、浴室の天井裏等に設置し、浴室内の暖房及び換気を行う浴室暖房機本体と、この本体に取り付けられ浴室を含む複数室の換気をする換気装置とを備えた浴室暖房機において、換気装置内の水分をできるだけ早く取り除くことを目的とする。
【００１０】
【課題を解決するための手段】
上記目的を達成するために、請求項１記載の発明は、天井裏に設けられる浴室暖房機本体と、底板を本体底板より高い位置にして本体側面に設置される換気装置とを備えた浴室暖房機において、前記浴室暖房機本体の側板に通気口を設け、換気装置の側板に前記通気口に連通する連通口を設け、この連通口には窓枠を設け、この窓枠の下板を外下がりに傾斜させるとともに、この下板上に排水路を設けたことを特徴とする。
【００１１】
請求項２に記載の発明は、請求項１に記載の浴室暖房機において、前記排水路の先端部は窓枠から外に突出して前記通気口の内側に配置されることを特徴とする。
【００１２】
【発明の実施の形態】
以下、本発明の一実施形態を図面に基づいて説明する。図１は本発明の一実施形態における浴室暖房機の設置構成図、図２は浴室暖房機の平面図、図３は浴室暖房機の側断面説明図である。
【００１３】
図１において、浴室暖房機１は、浴室Ａの天井裏Ｂ等に設置される浴室暖房機本体（以下本体という）２及び換気装置３と、室外に設置される熱源機４とを備え、換気装置３が本体２の側面に接して取り付けられ、熱源機４が本体２に温水配管５にて接続され、温水等の熱媒を本体２へ供給している。換気装置３の各側板には開口が設けられ、これら開口には、脱衣室用の吸気ダクト１５、トイレ用の吸気ダクト１７及び排気ダクト１８が接続され、それぞれ脱衣室Ｃ、トイレＤ及び室外に連通している。前記ダクト１５、１７、１８は、浴室Ａ、脱衣室Ｃ及びトイレＤの天井裏Ｂに配設されている。また、浴室暖房機１には、本体２及び換気装置３を操作するためのリモコン２１が設けられ、リモコン２１及び本体２間、並びに本体２及び熱源機３間が信号線２２にて接続されている。
【００１４】
また、換気装置３近傍の天井板には浴室暖房機１の設置及び点検等のメンテナンスを行うための点検口２３が設けられている。
【００１５】
図２、図３において、前記本体２は浴室Ａの天井に設けられた天井開口部の裏側に４本の吊りボルト３１、３１・・にて吊り下げられて設置され、この本体２の底面には、天井開口部を塞ぐように天井面に設けられる吸込グリル３２がねじ止め固定されており、この吸込グリル３２には吸込口３３と吹出口３４が設けられている。本体２は箱体状の本体ケース２Ａを有し、この本体ケース２Ａ内に外部の熱源機から温水の供給される熱交換器２５と、浴室Ａ内から吸込口３３を通して空気を吸い込み熱交換器２５を介して熱交換された空気を、吹出口３４を通して浴室Ａ内に吹き出す温風ファン２６と、浴室Ａ内の空気を換気する本体換気ファン２７とを備え、本体ケース２Ａの側板に浴室換気用の通気口２８を設けている。この通気口２８は吸込グリル３２の吸込口３３に連通している。
【００１６】
前記換気装置３は箱体状の換気ケース６を有し、この換気ケース６内には通風路が形成されて通風路内に総換気ファン２４が設けられ、通風路は換気ケース６の側板６ａ、６ｂ、６ｃに形成された複数の開口に連通している。これら開口は、前記本体２の通気口２８に連通し側板６ａに形成された連通口３５と、別の側板６ｂに形成された脱衣室用吸気口８及びトイレ用吸気口９と、さらに別の側板６ｃに形成された排気口１０である。図３の破線矢印は、浴室内の空気が本体換気ファン２７、通気口２８、連通口３５及び総換気ファン２４を経て排出されるときの風の流れを示すものである。
【００１７】
なお、換気装置３の底板６ｆは、本体２へ設置された状態で本体２の底板３６よりも高い位置になっている。
【００１８】
図４は換気装置の連通口を示す斜視図、図５は本体の通気口を示す斜視図である。
【００１９】
前記本体２の換気装置３に当接する側板３７は、側面が平面状になっており、この側面３７には、図４に示すように、前記通気口２８の四角形の窓枠３８が設けられ、側板３７の上縁３７ａは、細長い長方形状に形成されている。
【００２０】
一方、換気装置３の本体２に当接する側板６ａは、側面が平面状になっており、この側面には、図５に示すように、前記通気口２８と同じ開口寸法を有する連通口３５の角筒状の窓枠４１が形成されている。側板６ａの上部には引掛部４２が形成され、この引掛部４２が前記本体２の上縁３７ａに掛止されるようになっている。この引掛部４２を本体上縁３７ａに掛止することにより通気口２８の開口と連通口３５の開口とが一致するようになっている。
【００２１】
前記連通口３５の窓枠４１は、上板４１ａが水平に、両側板４１ｂ、４１ｃが垂直に設けられ、下板４１ｄは、奥側の縁を底板６ｆの縁に連接されて、図３に示すように、奥側から外下がりに傾斜している。また下板４１ｄ上には排水路４３が形成され、この下板４１ｄから外方に水平に突出している。この排水路４３は、底板６ｆの縁から下板４１ｄの中央部を経て突出部まで続き、排水路４３の両側、及び排水路４３を除く底板６ｆの縁には隔壁が設けられている。そして、底板６ｆに水が溜まったときには、この排水路４３を通して水が流れ落ちるようになっている。
【００２２】
以上のように構成された本体２と換気装置３において、本体２に換気装置３を取り付けることにより、本体側板３７と換気装置側板６ａとが接し、通気口２８の開口と連通口３５の開口とが一致するので、連通口３５の窓枠４１に設けられた排水路４３は、その先端が通気口２８の窓枠３８の内側に配置される。そして、換気装置３内の底板６ｆに水が溜まったときには、排水路４３を通って本体２内へ水が流れる。
【００２３】
このように、排水路４３を設けたことにより、換気装置３内に結露した水が排出され易くなって水が溜まり難くなり、換気装置３内を清潔に保つことができる。そして、換気装置３の設置状態で排水機能が発揮されるようになり、排水のための特別な作業をする必要がない。
【００２４】
また、排水路４３はその先端を本体２内に挿入されるので、換気装置３内の水が確実に本体２へ流れ込み、本体２と換気装置３との隙間から漏れないようにしている。
【００２５】
以上、一実施形態に基づいて本発明を説明したが、本発明はこれに限定されるものではない。
【００２６】
【発明の効果】
以上説明したように、本発明の浴室暖房機は、浴室暖房機本体と、底板を本体底板より高い位置にして本体側面に設置される換気装置とを備え、本体通気口の開口に換気装置の連通口の開口を一致させ、この連通口の窓枠の下板上に外下がりに傾斜する排水路を設けたことにより、換気装置内の水を流出させて溜まり難くし換気装置内を清潔に保つことができる。
【図面の簡単な説明】
【図１】本発明の一実施形態における浴室暖房機の設置構成図である。
【図２】図１の浴室暖房機の平面図である。
【図３】図１の換気装置の側断面説明図である。
【図４】換気装置の連通口を示す斜視図である。
【図５】本体の通気口を示す斜視図である。
【符号の説明】
１　浴室暖房機
２　浴室暖房機本体
３　換気装置
４　熱源機
６ａ、６ｂ、６ｃ、６ｄ　換気装置の側板
６ｆ　換気装置の底板
２８　通気口
３５　連通口
３６　本体の底板
３７　本体の側板
３８　通気口の窓枠
４１　連通口の窓枠
４１ｄ　窓枠の下板
４３　排水路
Ａ　浴室
Ｂ　天井裏
Ｃ　脱衣室
Ｄ　トイレ
【図１】
2004116965.tif 000003
【図２】
2004116965.tif 000004
【図３】
2004116965.tif 000005
【図４】
2004116965.tif 000006
【図５】
2004116965.tif 000007